(57)【要約】  本発明は、ネズミ捕り用ベイトステーションに関する。ネズミ捕り用ベイトステーションは、地上は勿論、壁面にも設置することができる。筺体は、各々ネズミ穴があけられた１対の側壁、１つの底壁、１つ以上の上壁、１つの後壁および１つの前方開口部を有する。底壁に複数の排水口があけられている。筺体の前方開口部を前方カバーで塞ぐ。前方カバーはリビングヒンジを介して筺体の底壁に固定されることが好ましい。筺体内に固い餌台が入られ、この餌台は中２階を支持し且つ中間に固定空間を形成する１対の中間壁を含み、固定空間にレンガのような重い物体を入れる。中２階に餌容器がある。１対の殺虫剤トレイとカタツムリ餌容器が配置されることもできる。【選択図】図１
2014504883.tif 000002
【特許請求の範囲】
【請求項１】
各々ネズミ穴があけられた１対の側壁、複数の排水口があけられた１つの底壁、１つ以上の上壁、１つの後壁および１つの前方開口部を含む筺体；
筺体の前方開口部を塞ぎ、該前方開口部に固定するためのカバーロック機構が取り付けられた前方カバー；および
前記筺体内に含まれ、中２階を支持し且つその中間に固定空間を形成する１対の中間壁を含み、前記中２階に餌容器があり、中間壁と中２階が後壁から前方開口部に向かって延びており、前記カバーで前方開口部を塞げば、固定空間が筺体内の残り空間から隔離される餌台；を含み、
中２階の餌容器に餌が入っていれば、ネズミが一側壁を通って筺体内に入り、一方の中間壁と中２階を登って餌に寄りつき、中２階と他方の中間壁を降りて反対側のネズミ穴へ抜け出るが、ネズミ穴から入ってきた水は底壁の複数の排水口を通して排水され、固定空間に標準レンガを入れて筺体を地面に固定することができることを特徴とする地上に設置するネズミ捕り用ベイトステーション。
【請求項２】
中２階と上壁との間の後壁に固定された第１ブラケット、前方カバーに固定された第２ブラケット、およびこれらの第１、第２ブラケットに選択的に位置する餌棒を含む餌供給機をさらに含み、餌棒から落ちる餌が餌容器内に入ることを特徴とする、請求項１に記載の地上に設置するネズミ捕り用ベイトステーション。
【請求項３】
前記餌容器の両側に中２階に１対の殺虫剤トレイが形成されることを特徴とする、請求項１に記載の地上に設置するネズミ捕り用ベイトステーション。
【請求項４】
ネズミ餌を入れるネズミ餌容器が筺体の内側へ突出するように後壁に形成されることを特徴とする、請求項１に記載の地上に設置するネズミ捕り用ベイトステーション。
【請求項５】
側壁と中間壁との間の底壁に１対のカタツムリ餌容器が形成されることを特徴とする、請求項１に記載の地上に設置するネズミ捕り用ベイトステーション。
【請求項６】
側壁のネズミ穴の周縁に筺体内側に銅リングが固定されることを特徴とする、請求項１に記載の地上に設置するネズミ捕り用ベイトステーション。
【請求項７】
前記前方カバーの下縁部が筺体の底壁にリビングヒンジで固定され、前方カバーと筺体が一体に形成されることを特徴とする、請求項１に記載の地上に設置するネズミ捕り用ベイトステーション。
【請求項８】
前記リビングヒンジがダブルリビングヒンジであることを特徴とする、請求項７に記載の地上に設置するネズミ捕り用ベイトステーション。
【請求項９】
底壁の外面にＴ型スタンドオフが複数突出し、各々のスタンドオフ周りの底壁に塗布された粘着剤が強力な永久接着をなすことを特徴とする、請求項１に記載の地上に設置するネズミ捕り用ベイトステーション。
【請求項１０】
底壁の排水口の各々をアーチ型保護カバーで覆い、底壁に塗布された粘着剤が排水口を塞がないようにすることにより、筺体内部の水が排水口を通して排水されるようにすることを特徴とする、請求項１に記載の地上に設置するネズミ捕り用ベイトステーション。
【請求項１１】
上壁に近い側壁部分に複数の換気口が形成されることを特徴とする、請求項１に記載の地上に設置するネズミ捕り用ベイトステーション。
【請求項１２】
後壁の外面にＴ型スタンドオフが複数突出し、各々のスタンドオフ周りの後壁に塗布された粘着剤が強力な永久接着をなすことを特徴とする、請求項１に記載の地上に設置するネズミ捕り用ベイトステーション。
【請求項１３】
少なくとも１つの上壁に１対の断熱板スロットを設け、該スロットの間に断熱板を挿入して、筺体の内部を周辺熱から断熱することを特徴とする、請求項１に記載の地上に設置するネズミ捕り用ベイトステーション。
【請求項１４】
中央頂点の両側に各々１つずつ２つの上壁が固定され、側壁を経て傾いて降りて行くことを特徴とする、請求項１に記載の地上に設置するネズミ捕り用ベイトステーション。
【請求項１５】
上壁が３つであり、中央に最も高く水平に１つの上壁が位置し、その両側に各々１つの上壁が側壁に向かって傾斜して降りて行くように固定されることを特徴とする、請求項１に記載の地上に設置するネズミ捕り用ベイトステーション。
【請求項１６】
餌容器と殺虫剤トレイに排水口が形成され、餌容器や殺虫剤トレイに入った水が固定空間に排水されて筺体の外部に排水されることを特徴とする、請求項１に記載の地上に設置するネズミ捕り用ベイトステーション。
【請求項１７】
筺体の底壁に固定孔が形成され、固定孔の直径が排水口の直径より大きいことを特徴とする、請求項１に記載の地上に設置するネズミ捕り用ベイトステーション。
【請求項１８】
筺体の底壁の外面にセメントボードが付着されることを特徴とする、請求項１に記載の地上に設置するネズミ捕り用ベイトステーション。
【請求項１９】
前記セメントボードがモルタルを用いて地面に固定されることを特徴とする、請求項１８に記載の地上に設置するネズミ捕り用ベイトステーション。
【発明の詳細な説明】
【技術分野】
【０００１】
本発明は、ネズミ捕り（ｒｏｄｅｎｔ  ｔｒａｐ）に関し、具体的にはネズミ捕り用ベイトステーション（ｒｏｄｅｎｔ  ｂａｉｔ  ｓｔａｔｉｏｎ）に関する。
【背景技術】
【０００２】
従来のネズミ捕り用ベイトステーションは色々な短所を有する。すなわち、多くの従来のネズミ捕り用ベイトステーションは、筺体内に水が浸透し、餌に接して餌を損傷させる。このような従来のネズミ捕り用ベイトステーションは、内部に浸透した水を排出することができない。また、従来のネズミ捕り用ベイトステーションは、カタツムリやナメクジやコオロギや他の昆虫が侵入し、餌に寄りついて餌を損傷させないようにする装置がない。従来のネズミ捕り用ベイトステーションは１箇所に容易に固定することができず、粘着剤を保有する地点も提供することができない。このような従来のネズミ捕り用ベイトステーションは、餌が乾燥することを防ぐための断熱がなされないため、ネズミを誘引する位置にある餌棒についている餌が干からびてしまうことが頻繁にある。また、カバーがリビングヒンジ（ｌｉｖｉｎｇ  ｈｉｎｇｅ）を介して筺体に固定されているため、繰り返し使えば、リビングヒンジが擦り切れて壊れたりする。
【発明の概要】
【発明が解決しようとする課題】
【０００３】
本発明は、従来のこのような問題点を考慮して導き出されたものであり、筺体内に水が浸透してネズミ餌を損傷させることを防止し、筺体内にある全ての水を排水する装置を提供することを目的とする。このような装置は、様々な構成で任意の箇所に固定（設置）することが容易であり、昆虫やカタツムリや他の害虫が餌に寄りついて餌を損傷させることも防止する手段を備える必要がある。さらに、このような装置は耐久性が強く、カバーは堅固なリビングヒンジを備えることが好ましい。本発明は、このような目的を達成することができる。
【課題を解決するための手段】
【０００４】
本発明は、地上は勿論、壁面にも設置できるネズミ捕り用ベイトステーションである。筺体は、各々ネズミ穴があけられた１対の側壁、１つの底壁、１つ以上の上壁、１つの後壁および１つの前方開口部を有する。底壁に複数の排水口があけられている。底壁の排水口の各々を、選択的に除去できる保護カバーで覆って、底壁に塗布された粘着剤が排水口を塞がないようにする。筺体の底壁の外面にセメントボードを付着し、モルタルのような物質を用いてネズミ捕り用ベイトステーションを地上に固定するようにする。
【０００５】
筺体の前方開口部を前方カバーで塞ぐ。前方カバーはリビングヒンジを介して筺体の底壁に固定されることが好ましい。また、筺体の前方開口部にカバーを固定するようにカバーにカバーロック機構が取り付けられている。
【０００６】
筺体内に固い餌台（ｂａｉｔ  ｐｌａｔｆｏｒｍ）が入られ、この餌台は中２階（ｍｅｚｚａｎｉｎｅ）を支持し且つ中間に固定空間を形成する１対の中間壁を含み、固定空間にレンガのような重い物体を入れることができる。中２階に餌容器（ｂａｉｔ  ｒｅｃｅｐｔａｃｌｅ）がある。
【０００７】
一方、餌供給機が中２階と少なくとも一つの上壁との間の後壁に固定された第１ブラケットを含む。この餌供給機は、前方カバーに固定された第２ブラケット、およびこれらの第１、第２ブラケットに選択的に位置する少なくとも一つの餌棒をさらに含み、餌棒から落ちる餌が餌容器内に入るようになっている。
【０００８】
餌容器の両側に中２階に１対の殺虫剤トレイが形成され、昆虫や害虫が餌に寄りついて餌を損傷させないように殺虫剤で充填する。同様に、側壁と中間壁との間の底壁に１対のカタツムリ餌容器が形成され、カタツムリやナメクジが餌に寄りつくことを防止する毒で充填する。
【０００９】
ベイトステーションを設置し、中２階の餌容器または餌棒に餌が設置されていれば、ネズミが一側壁を通って筺体内に入り、一方の中間壁と中２階を登って餌に寄りつき、中２階と他方の中間壁を降りて反対側のネズミ穴へ抜け出る。
【発明の効果】
【００１０】
本発明のベイトステーションは、筺体内に水が浸透して餌を損傷させることを防止する。本発明のベイトステーションは、筺体内に入った全ての水を排水することができる。本発明のベイトステーションは、様々な構成で容易に固定することができ、カタツムリや昆虫や害虫が餌に寄りつくことを防止することができる。本発明のベイトステーションは耐久性が強く、カバーには堅固なダブルリビングヒンジが取り付けられている。
【００１１】
以下、本発明について添付図面を参照してより詳しく説明する。
【図面の簡単な説明】
【００１２】
【図１】カバーが一部開いている本発明のネズミ捕り用ベイトステーションの斜視図である。
【図２】図１の平面図である。
【図３】図１の底面図である。
【図４】図１の正面図である。
【図５】図１の側面図である。
【図６】図１の背面図である。
【図７】図１の分解組立図である。
【図８】図７の８−８部分の拡大斜視図である。
【図９】図７の９−９部分の拡大斜視図である。
【図１０】図７の１０−１０部分の拡大斜視図である。
【図１１】図７の１１−１１部分の拡大斜視図である。
【図１２】説明の便宜上、前方カバーが取り除かれた状態のネズミ捕り用ベイトステーションの第２実施形態の正面図である。
【図１３】図１２の側面図である。
【図１４】図５の１４−１４部分のダブルリビングヒンジの拡大図である。
【図１５】モルタルを用いてセメントボードが地上に付着しているネズミ捕り用ベイトステーションの正面図である。
【発明を実施するための形態】
【００１３】
以下の説明はあくまでも例示したものに過ぎず、当業者であれば、本発明の範囲を逸脱することなく、このような説明から様々な変形と変更を容易に行うことができることを予測できるであろう。
【００１４】
図１、７は、地面１５や壁面１６に設置するネズミ捕り用ベイトステーション１０を示す（図１３参照）。筺体２０は、ネズミ穴４０が各々形成された１対の側壁２３０、底壁５０、少なくとも１つの上壁２０、後壁２４０および前方開口部２５０からなる（図１、５、７参照）。底壁５０には筺体２０に入った水を取り出すために複数の排水口１００が形成されている（図７参照）。後壁２４０にはネズミ餌（図示せず）を入れるネズミ餌容器１５０が取り付けられ、筺体２０内へ突出している（図１０参照）。底壁５０に形成された固定孔１１０はベイトステーション１０を地面１５に固定するための固定具（図示せず）を挿入するためのものであり、排水口１００よりは直径が大きい。
【００１５】
底壁５０に塗る粘着剤が排水口１００を塞がないように排水口１００を着脱式アーチ型保護カバー１８０で選択的に塞ぐこともできる（図７、１１参照）。勿論、保護カバー１８０で塞いでも排水口１００を通して水が排水されることができる。
【００１６】
底壁５０と側壁２３０に塗った粘着剤が強力で永久的な結合ができるように底壁と後壁の外面にＴ型スタンドオフ（ｓｔａｎｄｏｆｆ）１７０をいくつかを付着する（図７、１２、１３参照）。このようなスタンドオフ１７０は、底壁５０と側壁２３０に塗った粘着剤がそれぞれ排水口１００と換気口１６０を塞ぐことを防止する役割も果たす。
【００１７】
一方、底壁５０の外面にセメントボード４００を付けることもできる（図１５参照）。セメントボード４００の幅と長さは底壁５０と同等であることが好ましい。このようなセメントボード４００は、固定孔１１０にスクリュー−ナットセット４０５を用いて筺体２０に取り付けるが（図１５参照）、他の方法によって取り付けることもできる。また、モルタル４１０や他の適宜な材料を用いて地面１５にセメントボード４００を固定することもできる（図１５参照）。
【００１８】
筺体２０内部の熱気が抜け出る換気口１６０を上壁に近い側壁２３０部分に形成する（図１２〜１３参照）。図１、１２によれば、少なくとも１つの上壁２０に１対の断熱板スロット３５０を設け、これに断熱板７０を挿入して、上壁２０が光に露出して生じる周辺熱から筺体２０内部を断熱するようにする。
【００１９】
図１、７に示すように、筺体２０の前方開口部２５０は前方カバー３０で塞ぐが、この時、前方カバーの下縁部３１を筺体２０の底壁５０にリビングヒンジ（ｌｉｖｉｎｇ  ｈｉｎｇｅ）３４０で連結することが好ましいが、特にダブルリビングヒンジ３４２方式が好ましい（図５、１４参照）。カバー３０は外面３４と内面３２とを有する（図２〜５参照）。筺体２０とカバー３０は、プラスチック射出成形で一体に作ることが好ましい。
【００２０】
図１、１２に示すように、１つ以上のカバーロック機構２２０によって筺体２０の前方開口部２５０にカバー３０が固定される。カバー３０の一部分２００が筺体２０の前縁部２５５に防水ができるようにかみ合うことが好ましい（図１参照）。カバーロック機構２２０ごとに孔１２０があけられており（図１、４参照）、この孔に鍵や他の特殊な形態の物体（図示せず）を挿入してカバーロック機構２２０をリリースすれば、筺体２０からカバー３０を取り外すことができる。ねじ１４０に嵌められたカバー１３０で孔１２０を塞いで雨水が筺体に入らないようにする（図７，８参照）。
【００２１】
筺体２０内に固い餌台６０が入られ、この餌台６０は中２階２７０を支持する１対の中間壁２６０を含み、中間壁の間の固定空間２７５にレンガ２１０やその他のコンクリートブロックや金属体のような重い物体を入れておく（図１、１２参照）。中間壁２６０と中２階２７０は後壁２４０から前方開口部２５０に向かって延びており、筺体２０の前方開口部２５０をカバー３０で封じれば、固定空間２７５が筺体２０内部の残り空間から隔離される（図１、７参照）。中２階に餌容器２８０がある（図７参照）。餌台６０は固いプラスチックからなり、できるだけ筺体２０およびカバー３０と一体に形成されることが好ましい。
【００２２】
図７に示すように、餌供給機２９０は、中２階２７０と上壁２０との間の後壁２４０に固定された第１ブラケット１５５（図１０、１２参照）、前方カバー３０に固定される第２ブラケット９０、および第１、第２ブラケット１５５，９０に選択的に位置する１つ以上の餌棒３００を含み（図９参照）、餌棒３００から落ちる餌１８が餌容器２８０内に落下するようになっている。このような餌１８は、米国ウィスコンシン州のマディソンに所在するＢｅｌｌ  Ｌａｂｏｒａｔｏｒｉｅｓ社製のＣｏｎｔｒａｃ  Ｂｌｏｘという商標名で販売されるものと類似するものであってもよい。餌容器２８０は、同社でＤｉｔｒａｃという商標で販売される追跡用粉末などの適切な追跡用粉末（図示せず）で一部充填されてもよい。
【００２３】
図１と７によれば、中２階２７０の餌容器２８０の両側に１対の殺虫剤トレイ３１０が形成される。このような殺虫剤トレイ３１０は、コオロギや他の昆虫が餌１８に寄りついて餌を損傷させることを防止できる殺虫剤（図示せず）で充填される。同様に、各側壁２３０と中間壁２６０との間の底壁５０に１対のカタツムリ餌容器３２０が形成される（図１２参照）。このような餌容器３２０は、カタツムリやナメクジが餌容器１８に寄りついて損傷させることを防止するのに適切な毒で充填される。ネズミ穴４０を通して筺体２０内にカタツムリやナメクジが入らないようにネズミ穴４０の周縁に銅リング３３０を固定する（図１３参照）。
【００２４】
屋根は中央頂点３７０の両側に２つの上壁２０が固定されたものであり、各々の上壁２０は下方へ傾斜して、側壁２３０の向こうへ延びる（図１２、１３参照）。一方、屋根が３つの上壁２０からなり、中央の水平上壁３８０の両側に固定された２個の上壁３９０が側壁２３０に向かって傾斜する構造を取ることもできる（図１〜７参照）。
【００２５】
ネズミ捕り用ベイトステーションを設置すれば、餌容器２８０内や餌棒３００上にある餌１８のため、ネズミ（図示せず）が側壁２３０を通って筺体２０内に入り、中間壁２６０と中２階２７０を登って餌１８に寄りつく。続いて、中２階２７０と他方の中間壁２６０を降りて反対側のネズミ穴４０を通って筺体２０から抜け出る。
【００２６】
以上、本発明について例を挙げて説明したが、本発明の範囲内で様々な変形や変更が可能である。例えば、上壁２０が２つや３つのネズミ捕り用ベイトステーション１０を例に挙げたが、他の構造も可能である。したがって、本発明の範囲は請求範囲によってのみ定められなければならない。
【００２７】
当業者であれば、以上で説明した本発明の範囲を逸脱することなく、様々な変形や変更を行うことができることを予想することができ、このような変形や変更も本発明の範囲に含まれる。また、ネズミを例に挙げて説明したが、ネズミに限定されず、両生類を含む広い概念で理解しなければならない。
【図１】
2014504883.tif 000003
【図２】
2014504883.tif 000004
【図３】
2014504883.tif 000005
【図４】
2014504883.tif 000006
【図５】
2014504883.tif 000007
【図６】
2014504883.tif 000008
【図７】
2014504883.tif 000009
【図８】
2014504883.tif 000010
【図９】
2014504883.tif 000011
【図１０】
2014504883.tif 000012
【図１１】
2014504883.tif 000013
【図１２】
2014504883.tif 000014
【図１３】
2014504883.tif 000015
【図１４】
2014504883.tif 000016
【図１５】
2014504883.tif 000017
【国際調査報告】
2014504883.tif 000018
2014504883.tif 000019